(57)【要約】【課題】どの書籍のどのページを何度閲覧したかについての情報を取得することが可能な書籍閲覧情報収集システムを提供する。【解決手段】書籍１０の各ページ１１の、書籍１１の背表紙に対して遠端寄りに取り付けられ、取り付けられたページ１１を特定するＩＤ情報を不揮発に格納するページＲＦタグ１１０と、各ページＲＦタグ１１０からページ番号を取得する短距離交信ＲＦリーダ１２１、見開きページ番号を検索する検索部１２３、閲覧情報を記憶するデータ蓄積用ＲＦタグ１２７、及びこれに閲覧情報をなす見開きページ番号等を書き込むＲＦライタ１２５を有し、交信に応じて外部に閲覧情報を送信する書籍ＲＦＩＤ装置１２０と、書籍ＲＦＩＤ装置１２０と交信して閲覧情報を取得する長距離交信ＲＦリーダ１３１、データ変換を行う変換部１３３、及び閲覧情報を蓄積する閲覧情報データベース１３５を有する外部ＲＦＩＤ装置１３０と、を備える構成を有している。【選択図】図１
2008117167.tif 000002
【特許請求の範囲】
【請求項１】
裏表からなる１枚のページからなる書籍の前記各ページの、前記書籍の背表紙に対して遠端寄りに取り付けられ、取り付けられた前記ページを特定するＩＤ情報を有するページＲＦタグと、
前記書籍のおもて表紙及びうら表紙のうちのいずれかの表紙に、前記ページＲＦタグに近接して設けられ、前記書籍の厚さ以上且つ前記書籍が開かれたときの開かれたページ側の前記各ページＲＦタグまでの距離より短い交信距離を有する短距離交信ＲＦリーダ、及び前記書籍に関する情報を記憶するデータ蓄積用ＲＦタグ、を少なくとも有し、前記短距離交信ＲＦリーダを介して前記各ページＲＦタグから前記ＩＤ情報を読み取り、読み取った前記各ＩＤ情報に基づいて、見開きページのページ番号を特定し、特定した前記見開きページのページ番号が有効に更新された場合に、少なくとも、特定した前記見開きページのページ番号を前記データ蓄積用ＲＦタグに記憶させ、外部からの交信に応答して前記データ蓄積用ＲＦタグ内の情報を送信する書籍ＲＦＩＤ装置と、
前記書籍ＲＦＩＤ装置と交信して前記データ蓄積用ＲＦタグに記憶された情報を取得する外部ＲＦＩＤ装置と、を備えることを特徴とする書籍閲覧情報収集システム。
【発明の詳細な説明】
【技術分野】
【０００１】
本発明は、閲覧者が閲読したページを特定する情報を読み取り所定の記憶装置に記憶する書籍閲覧情報収集システムに関し、特に閲覧回数を記憶することが可能な書籍閲覧情報収集システムに関する。
【背景技術】
【０００２】
従来、小型の無線チップを用いて情報の送受を行うＲＦＩＤ（Radio Frequency IDentification）技術が知られている。この無線チップは、ＲＦタグとも呼ばれ、耐久性に優れ、サブｍｍ、ｃｍオーダー等の種々の大きさのものが利用可能である。ＲＦタグは、外部のＲＦリーダライタから電磁波を介して電力の供給を受け、自己が記憶するデータを無線で送信するようになっている。このように非接触で電力の供給が可能であるため、ＲＦタグは、電池が不要であり、半永久的に使用が可能である。
【０００３】
ＲＧタグは、ラベル型、カード型、コイン型、スティック型等様々な形状があり、用途に応じて選択される。また、交信距離に関しては、数ｍｍ程度のものから数十ｍのものがあり、交信距離についても用途に応じて選択される。また、近年、ＲＦリーダライタも、数ｍｍ程度に小型化したものが利用可能となってきている。現在、このようなＲＦＩＤ技術を用いて、商品の在庫情報を管理する管理システムが普及しつつある（例えば、特許文献１、２参照。）。
【０００４】
上記の管理システムを応用して、各書籍に１つずつＲＦタグを取り付け、外部のＲＦリーダライタを介して１冊ずつ、ＲＦタグから情報を読み取り、書籍の在庫管理、市場における書籍の需要の把握を行うことができる。その結果、書籍１冊単位で在庫管理ができ、また、顧客のニーズを把握することができる。
【特許文献１】特開２００５−５１５９４７号公報
【特許文献２】特開２００５−５１９４９１号公報
【発明の開示】
【発明が解決しようとする課題】
【０００５】
しかしながら、従来の管理システムでは、どの書籍のどのページを閲覧したか、さらに、閲覧が多かったか否かまでは判断できないという問題を有していた。
【０００６】
以上の現状に鑑み、本発明の目的は、どの書籍のどのページを何度閲覧したかについての情報を取得することが可能な書籍閲覧情報収集システムを提供する。
【課題を解決するための手段】
【０００７】
上記の課題を解決すべく、本発明は以下の構成を提供する。
請求項１に係る発明は、裏表からなる１枚のページからなる書籍の前記各ページの、前記書籍の背表紙に対して遠端寄りに取り付けられ、取り付けられた前記ページを特定するＩＤ情報を有するページＲＦタグと、前記書籍のおもて表紙及びうら表紙のうちのいずれかの表紙に、前記ページＲＦタグに近接して設けられ、前記書籍の厚さ以上且つ前記書籍が開かれたときの開かれたページ側の前記各ページＲＦタグまでの距離より短い交信距離を有する短距離交信ＲＦリーダ、及び前記書籍に関する情報を記憶するデータ蓄積用ＲＦタグ、を少なくとも有し、前記短距離交信ＲＦリーダを介して前記各ページＲＦタグから前記ＩＤ情報を読み取り、読み取った前記各ＩＤ情報に基づいて、見開きページのページ番号を特定し、特定した前記見開きページのページ番号が有効に更新された場合に、少なくとも、特定した前記見開きページのページ番号を前記データ蓄積用ＲＦタグに記憶させ、外部からの交信に応答して前記データ蓄積用ＲＦタグ内の情報を送信する書籍ＲＦＩＤ装置と、前記書籍ＲＦＩＤ装置と交信して前記データ蓄積用ＲＦタグに記憶された情報を取得する外部ＲＦＩＤ装置と、を備えることを特徴とする。
【発明の効果】
【０００８】
請求項１に係る発明によれば、裏表からなる１枚のページからなる書籍の各ページの、書籍の背表紙に対して遠端寄りに取り付けられ、取り付けられたページを特定するＩＤ情報を有するページＲＦタグと、書籍のおもて表紙及びうら表紙のうちのいずれかの表紙に、ページＲＦタグに近接して設けられ、書籍の厚さ以上且つ書籍が開かれたときの開かれたページ側の各ページＲＦタグまでの距離より短い交信距離を有する短距離交信ＲＦリーダ、及び書籍に関する情報を記憶するデータ蓄積用ＲＦタグ、を少なくとも有し、短距離交信ＲＦリーダを介して各ページＲＦタグからＩＤ情報を読み取り、読み取った各ＩＤ情報に基づいて、見開きページのページ番号を特定し、特定した見開きページのページ番号が有効に更新された場合に、少なくとも、特定した見開きページのページ番号をデータ蓄積用ＲＦタグに記憶させ、外部からの交信に応答してデータ蓄積用ＲＦタグ内の情報を送信する書籍ＲＦＩＤ装置と、書籍ＲＦＩＤ装置と交信してデータ蓄積用ＲＦタグに記憶された情報を取得する外部ＲＦＩＤ装置と、を備えるため、どの書籍のどのページを何度閲覧したかについての情報を取得することが可能な書籍閲覧情報収集システムを実現することができる。
【発明を実施するための最良の形態】
【０００９】
以下、実施例を示した図面を参照しつつ本発明の実施の形態について説明する。
図１は、本発明による書籍閲覧情報収集システムの一実施例を模式的に示すブロック構成図である。書籍閲覧情報収集システム１は、図１に示すように、裏表からなる１枚のページからなる書籍１０の各ページ１１の、書籍１１の背表紙に対して遠端寄りに取り付けられ、取り付けられたページ１１を特定するＩＤ情報を不揮発に格納するページＲＦタグ１１０、及び、各ページＲＦタグ１１０と短距離交信して各ＩＤ情報を取得して蓄積すると共に、交信に応じて外部に送信する書籍ＲＦＩＤ装置１２０と、書籍ＲＦＩＤ装置１２０と長距離交信して所定の情報を取得する外部ＲＦＩＤ装置１３０と、を備える。
【００１０】
ページＲＦタグ１１０は、ページ１１の厚さに応じた所定の厚さを有し、通常の比接触の方式で無線アンテナ１１１を介し、書籍ＲＦＩＤ装置１２０からの交信に応じて格納する情報を送信する。以下、ＩＤ情報を、ページＲＦタグ１１０が取り付けられたページ１１のページ番号とする。
【００１１】
書籍ＲＦＩＤ装置１２０は、書籍のおもて表紙及びうら表紙のうちのいずれかの表紙（以下、おもて表紙とする。）に、各ページ１１のページＲＦタグ１１０に所定周波数の、読み出し信号を伴う電磁波を照射し、各ページＲＦタグ１１０からページ番号を取得するための無線アンテナ１２２を有する短距離交信ＲＦリーダ１２１と、短距離交信ＲＦリーダ１２１が取得した各ページＲＦタグ１１０からのページ番号を検索して、見開きページのページ番号（以下、見開きページ番号という。）を取得し、見開きページ番号が有効に更新されたときに出力する検索部１２３と、検索部１２３が出力した見開きページ番号等の所定の情報を後述のデータ蓄積用ＲＦタグ１２７に書き込むＲＦライタ１２５と、予め、書籍名、書籍の巻末ページ番号等が不揮発に格納され、ＲＦライタ１２５が見開きページ番号等を記録し、外部ＲＦＩＤ装置１３０からの交信に応じて保有する情報を長距離送信するための、無線アンテナ１２８を有するデータ蓄積用ＲＦタグ１２７と、動作に必要な電力を供給する図示しない電源と、を有する。ここで、見開きページ番号が有効に更新されるとは、見開きページ番号が更新され、かつ更新された見開きページ番号が書籍を閉じたことを示すものでないことをいう。検索部１２３は、書籍の巻末ページ番号、直前の見開きページ番号等を不揮発に記憶し、見開きページ番号が有効に更新されたか否かの判断を行うようになっている。
【００１２】
図２は、各ページＲＦタグ及びデータ蓄積用ＲＦタグが内部に記憶する情報の構成の一実施例を示す図であり、図２（ａ）に各ページＲＦタグ、図２（ｂ）にデータ蓄積用ＲＦタグが記憶する情報の構成を示す。各ページＲＦタグ１１０は、各ページのページ番号２１１を保有する。データ蓄積用ＲＦタグ１２７は、書籍名２２１、書籍の巻末ページ番号２２２、及び見開きページ番号２２３と閲覧回数２２４の対の情報からなる並びの情報を保有する。
【００１３】
検索部１２３は、各ページＲＦタグ１１０から受信したページ番号のうちの最大のものを、現在の見開きページのページ番号（以下、見開きページ番号という。）と決定するものとする。検索部１２３は、また、閲覧回数を更新するフラグ等の信号を出力するのでもよい。また、ＲＦライタ１２５は、見開きページ番号に加え、閲覧回数を更新する情報をデータ蓄積用ＲＦタグ１２７に書き込むのでもよい。
【００１４】
図３は、書籍を開いたときのページＲＦタグ及び書籍ＲＦＩＤ装置の配置を示す模式的な断面図である。書籍の表紙は、おもて表紙３０１、うら表紙３０２、及び背表紙３０３から構成されており、おもて表紙３０１には書籍ＲＦＩＤ装置が設けられている。また、各ページＲＦタグ１１０は、図３に示す構成において書籍を閉じたときに短距離交信ＲＦリーダ１２１の真上になる位置等の、短距離交信ＲＦリーダ１２１の交信距離内の位置に取り付けられる。図３に示す各円の中心に短距離交信ＲＦリーダ１２１が配置される。
【００１５】
ここで、短距離交信ＲＦリーダ１２１の交信距離は、書籍の厚さ（図３には、短距離交信ＲＦリーダ１２１から最終ページまでの距離Ｔとして示す。以下、この距離Ｔを書籍の厚さとする。）以上、かつ、開かれたページ１１側のページＲＦタグ１１０までの距離Ｄ以下に設定されている。この交信距離は、典型的な本の場合、例えば、書籍の厚さＴの２倍程度、書籍の幅程度等に設定される。図３には、交信距離が書籍の厚さの２倍程度となる例が示され、交信距離の半分の半径Ｒの円３０４が示されている。このように構成することによって、開かれたページ１１側のページＲＦタグ１１０は、短距離交信ＲＦリーダ１２１の交信範囲外となり、開かれた側のページ１１であることが書籍ＲＦＩＤ装置によって検出される。その一方で、短距離交信ＲＦリーダ１２１の交信範囲内のページＲＦタグ３０５〜３０６のうち、ページＲＦタグ３０６が保持するページ番号が、最大のページ番号として検索部１２３によって検索され、見開きページ番号とされる。
【００１６】
図４は、書籍を閉じた状態の図５に対応する断面図である。図４に示す状態では、最終ページのページＲＦタグ４０１を含む、全てのページ１１のページＲＦタグ１１０が交信距離内、又は交信距離の半分内に入り、短距離交信ＲＦリーダ１２１は、全てのページＲＦタグ１１０のページ番号を取得し、検索部１２３は書籍が閉じられたことを検知する。書籍が所定の位置に戻されたとき、書籍ＲＦＩＤ装置の処理は終了する。
【００１７】
図１に戻って、外部ＲＦＩＤ装置１３０は、無線アンテナ１３２を有し交信距離が数十ｍ程度までの長距離交信が可能であり、書籍ＲＦＩＤ装置１２０と交信しデータ蓄積用ＲＦタグ１２７が有する、書籍名、書籍の巻末ページ番号、見開きページ番号、閲覧回数等からなる閲覧情報を取得する長距離交信ＲＦリーダ１３１と、長距離交信ＲＦリーダ１３１が取得した閲覧情報をデータベースに保存するためのデータ変換を行う変換部１３３と、データ変換された閲覧情報を蓄積する閲覧情報データベース１３５と、を有する。
【００１８】
図５は、閲覧情報データベースが記憶する閲覧情報の構成の一実施例を示す図である。閲覧情報データベース１３５は、書籍名５０１、書籍の巻末ページ番号５０２、及び見開きページ番号５０３と閲覧回数５０４の対の情報からなる並びの情報を格納する。利用者は、書籍毎にページ番号を検索キーとして各ページの閲覧回数を検索できる。
【００１９】
図６は、書籍閲覧情報収集システムの処理について説明するフローチャートであり、図６（ａ）に書籍ＲＦＩＤ装置、図６（ｂ）に外部ＲＦＩＤ装置の処理の流れについて示す。書籍が所定の位置から持ち出されたと、例えば公知の図書管理システム等によって、判断されたとき、書籍ＲＦＩＤ装置の短距離交信ＲＦリーダは、所定の時間間隔で各ページに取り付けられたページＲＦタグと交信を開始する（Ｓ１１０）。電波を受信した各ページＲＦタグは、共振作用により起電し、発生した電力により、回路を起動し、ページＲＦタグ内のＩＤ情報であるページ番号を外部に送信する。短距離交信ＲＦリーダは、各ページＲＦタグが送信したページ番号を受信し、受信した各ページ番号を検索部に出力する(Ｓ１２０)。次に、検索部は、入力された各ページ番号に基づいて、現在の見開きページ番号を検索し、ＲＦライタに出力する(Ｓ１３０)。
【００２０】
図７は、ステップＳ１３０で検索部が行う処理について説明するフローチャートである。検索部は、まず、短距離交信ＲＦリーダから出力された各ページ番号を取得し（Ｓ１３１）、ページ番号の最大値を検索して現在の見開きページ番号として特定する（Ｓ１３２）。次に、検索部は、見開きページ番号が有効に更新されたか否かを判断する（Ｓ１３３）。ステップＳ１３３で見開きページ番号が有効に更新されたと判断したとき、検索部は、見開きページ番号、及び閲覧回数を更新する信号をＲＦライタ１２５に出力し（Ｓ１３４）、有効に更新されていないと判断したとき、処理を終了する。
【００２１】
図６に戻って、ステップＳ１３０で現在の見開きページ番号がＲＦライタに出力されると、ＲＦライタは、見開きページ番号と閲覧回数を更新する情報をデータ蓄積用ＲＦタグに送信して書き込む(Ｓ１４０)。この結果、データ蓄積用ＲＦタグは、上記の閲覧情報を内部に保持することになる。データ蓄積用ＲＦタグは、外部ＲＦＩＤ装置からの交信に応答し、保持する閲覧情報を外部に長距離送信する（Ｓ１５０）。
【００２２】
また、外部ＲＦＩＤ装置は、長距離交信ＲＦリーダが一定時間間隔で書籍ＲＦＩＤ装置と交信し（Ｓ２１０）、ステップＳ１５０でデータ蓄積用ＲＦタグが送信した閲覧情報を受信して変換部に出力し（Ｓ２２０）、変換部が、データベースに保存するためのデータ変換を行い（Ｓ２３０）、そして、閲覧情報をデータベースに保存する（Ｓ２４０）。
【図面の簡単な説明】
【００２３】
【図１】本発明による書籍閲覧情報収集システムの一実施例を模式的に示すブロック構成図である。
【図２】各ページＲＦタグ及びデータ蓄積用ＲＦタグが内部に記憶する情報の構成の一実施例を示す図であり、図２（ａ）に各ページＲＦタグ、図２（ｂ）にデータ蓄積用ＲＦタグが記憶する情報の構成を示す。
【図３】書籍を開いたときのページＲＦタグ及び書籍ＲＦＩＤ装置の配置を示す模式的な断面図である。
【図４】書籍を閉じた状態の図５に対応する断面図である。
【図５】閲覧情報データベースが記憶する閲覧情報の構成の一実施例を示す図である。
【図６】書籍閲覧情報収集システムの処理について説明するフローチャートであり、図６（ａ）に書籍ＲＦＩＤ装置、図６（ｂ）に外部ＲＦＩＤ装置の処理の流れについて示す。
【図７】ステップＳ１３０で検索部が行う処理について説明するフローチャートである
【符号の説明】
【００２４】
１  書籍閲覧情報収集システム
１０  書籍
１１  ページ
１１０  ページＲＦタグ
１１１、１２２、１２８、１３２  無線アンテナ
１２０  書籍ＲＦＩＤ装置
１２１  短距離交信ＲＦリーダ
１２３  検索部
１２５  ＲＦライタ
１２７  データ蓄積用ＲＦタグ
１３０  外部ＲＦＩＤ装置
１３１  長距離交信ＲＦリーダ
１３３  変換部
１３５  閲覧情報データベース
２１１  ページ番号
２２１、５０１  書籍名
２２２、５０２  巻末ページ番号
２２３、５０３  見開きページ番号
２２４、５０４  閲覧回数
３０１  書籍おもて表紙
３０２  書籍うら表紙
３０３  書籍背表紙
３０４  半径Ｒの円
３０５  最初のページのページＲＦタグ
３０６  見開きページのページＲＦタグ
４０１  最終ページのページＲＦタグ
【図１】
2008117167.tif 000003
【図２】
2008117167.tif 000004
【図３】
2008117167.tif 000005
【図４】
2008117167.tif 000006
【図５】
2008117167.tif 000007
【図６】
2008117167.tif 000008
【図７】
2008117167.tif 000009